(57)【要約】【課題】配線の不要時にも外観を損ねることがない天井設置用警報器の取付ベースを提供すること。【解決手段】火災警報器３を取り付けない場合や、他の火災警報器３や外部機器への信号伝送のための不図示の天井裏配線を接続する必要のない火災警報器３を取り付ける場合には、リード線５ｅ及びコネクタ５ｆをリード線収納室５ｄ内に収納しておくことで、不要なリード線５ｅやコネクタ５ｆが取付ベース５の外部に露出しないようにして、美観を保つことができるようにした。【選択図】図４
2007164254.tif 000002
【特許請求の範囲】
【請求項１】
天井設置用の警報器を該警報器の取付面の係止金具により係止するために天井に取り付けられる天井設置用警報器の取付ベースであって、
天井裏の警報器用信号配線に接続されたリード線と、
前記リード線の先端に設けられ、前記警報器の前記取付面の信号入出力用コネクタに接続可能なコネクタと、
前記警報器を前記係止金具により係止した状態で前記取付面に対向する被取付面に開口して設けられ、前記リード線及び前記コネクタを収納可能なリード線収納室と、
を有することを特徴とする天井設置用警報器の取付ベース。
【請求項２】
前記警報器の少なくとも一部を収容する凹部を有し、該凹部の底面によって前記被取付面が構成されており、前記凹部の天井裏側に前記リード線収納室が配置され、かつ、前記凹部の開口が前記天井の面上に配置されるように該天井の内部に埋め込み設置される請求項１記載の天井設置用警報器の取付ベース。
【発明の詳細な説明】
【技術分野】
【０００１】
本発明は、天井設置用の警報器をその警報器の係止金具により係止するために天井に取り付けられる天井設置用警報器の取付ベースに関するものである。
【背景技術】
【０００２】
例えば火災警報器や都市ガス用のガス漏れ警報器等の警報器には、天井に設置するタイプのものがあり、そのような警報器においては、警報器をその係止金具により係止して警報器に係止金具経由で電源を供給する取付ベースが、天井に取り付けて使用される。
【０００３】
この種の取付ベースにおいては、複数の警報器を連動して作動させるための配線や、警報器で検出した火災やガス漏れ等の警報状態を音声や表示により報知する外部機器への信号伝送のための配線を、警報器との間に確保する必要がある。
【０００４】
そこで従来は、警報器から引き出されたリード線の先端のコネクタを接続するためのコネクタ部を取付ベース側に設けたり（例えば特許文献１）、警報器と取付ベースの双方から引き出したリード線どうしを圧着端子で接続して、天井と警報器との間にできる取付ベース周辺のスペースに目立たないようにリード線を隠すといった手法が取られていた。
【特許文献１】特開２００４−２１６５３号公報
【発明の開示】
【発明が解決しようとする課題】
【０００５】
しかしながら、上述した従来の取付ベースでは、複数の警報器と連動して作動させたり、外部機器による音声や表示による警報状態の報知を行わない場合に、警報器側から引き出される不要なリード線が見栄えを損ねる恐れがある。
【０００６】
本発明は前記事情に鑑みなされたもので、本発明の目的は、配線の不要時にも外観を損ねることがない天井設置用警報器の取付ベースを提供することにある。
【課題を解決するための手段】
【０００７】
前記目的を達成する請求項１に記載した本発明の天井設置用警報器の取付ベースは、天井設置用の警報器を該警報器の取付面の係止金具により係止するために天井に取り付けられる天井設置用警報器の取付ベースであって、天井裏の警報器用信号配線に接続されたリード線と、前記リード線の先端に設けられ、前記警報器の前記取付面の信号入出力用コネクタに接続可能なコネクタと、前記警報器を前記係止金具により係止した状態で前記取付面に対向する被取付面に開口して設けられ、前記リード線及び前記コネクタを収納可能なリード線収納室とを有することを特徴とする。
【０００８】
また、請求項２に記載した本発明の天井設置用警報器の取付ベースは、請求項１に記載した本発明の天井設置用警報器の取付ベースにおいて、前記警報器の少なくとも一部を収容する凹部を有し、該凹部の底面によって前記被取付面が構成されており、前記凹部の天井裏側に前記リード線収納室が配置され、かつ、前記凹部の開口が前記天井の面上に配置されるように該天井の内部に埋め込み設置される構成とした。
【発明の効果】
【０００９】
請求項１に記載した本発明の天井設置用警報器の取付ベースによれば、警報器を係止しない場合や、天井裏の警報器用信号配線を警報器に接続する必要のない時には、リード線やコネクタをリード線収納室に収納しておくことで、不要なリード線やコネクタが外部に露出しないようにすることができる。
【００１０】
尚、請求項１に記載した本発明の天井設置用警報器の取付ベースにおいて、請求項２に記載した本発明の天井設置用警報器の取付ベースのように、天井の内部への埋め込み設置型として天井からの張り出し部分をなくすことで見栄えをさらに向上させることもできる。
【発明を実施するための最良の形態】
【００１１】
以下、本発明の実施形態を、図面を参照して説明する。
【００１２】
図１は、本発明の第１実施形態に係る天井設置用警報器の取付ベースを用いて火災警報器を天井に取り付けた状態を示す側面図であり、図１中引用符号１は天井、３は天井１に設置される火災警報器、５は火災警報器３を天井１に取り付けるために用いられる取付ベースである。
【００１３】
前記火災警報器３は、光電式の煙センサ（図示せず）を収容した検知部３ａを平面視円形の正面３ｂに有しており、取付ベース５への取付面である平面視円形の裏面３ｃには、図２に平面図で示すように、中心を挟んで対向する２箇所に給電端子兼用の逆Ｌ字型の係止金具３ｄ、３ｄが立設されていると共に、電池収容部３ｅと、他の火災警報器３を連動して作動させるための配線や、火災警報器３で検出した火災の警報状態を音声や表示により報知する外部機器（図示せず）への信号伝送のための配線を接続するための信号入出力用コネクタ３ｆとが設けられている。
【００１４】
尚、信号入出力用コネクタ３ｆは、図２中仮想線で示す取付ベース５の輪郭よりも外側の箇所に配置されている。
【００１５】
図１に示す前記取付ベース５は、火災警報器３よりも小さい円盤状に形成されており、火災警報器３の裏面３ｃの被取付面となる正面５ａには、図３に平面図で示すように、火災警報器３の係止金具３ｄ，３ｄを挿入し火災警報器３を回転させることで係止金具３ｄ，３ｄが抜落不能に引っ掛け係止される係止孔５ｂ，５ｂが形成されている。
【００１６】
また、取付ベース５の正面５ａには、開閉蓋５ｃにより開閉されるリード線収納室５ｄが設けられており、このリード線収納室５ｄには、開閉蓋５ｃを閉じた状態で引出可能なリード線５ｅ及びその先端のコネクタ５ｆが、不使用時に収納される。尚、取付ベース５のコネクタ５ｆは、火災警報器３の信号入出力用コネクタ３ｆに接続可能に構成されている。
【００１７】
このように構成された本実施形態の取付ベース５は、正面５ａの係止孔５ｂ，５ｂよりも外周側に貫設された取付孔５ｇ，５ｇに正面５ａ側から挿通した取付ねじ（図示せず）を天井１に螺着させることで、正面５ａを下に向けた状態で天井１に固定される。
【００１８】
その際、図１に示す取付ベース５の裏面５ｈに形成された配線引込口（図示せず）から、天井裏に敷設された電源コード（図示せず）を内部に引き込んで、図３に示す係止孔５ｂ，５ｂに臨むように配置された不図示の電源ソケットに接続し、また、天井裏に敷設された、他の火災警報器３を連動して作動させるための配線や、火災警報器３で検出した火災の警報状態を音声や表示により報知する外部機器への信号伝送のための配線（請求項中の天井裏の警報器用信号配線に相当、図示せず）を、不図示のターミナル端子に接続して、このターミナル端子を介して上述した不図示の配線をリード線５ｅに接続しておく。
【００１９】
そして、天井１に取り付けた取付ベース５に火災警報器３を取り付けない場合は、リード線５ｅ及びコネクタ５ｆを、図４に平面図で示すように、リード線収納室５ｄ内に収納して開閉蓋５ｃを閉じておく。
【００２０】
また、他の火災警報器３を連動して作動させるための配線や、火災警報器３で検出した火災の警報状態を音声や表示により報知する外部機器（図示せず）への信号伝送のための配線を接続する必要のない火災警報器３を天井１に取り付ける場合は、リード線５ｅ及びコネクタ５ｆをリード線収納室５ｄ内に収納して開閉蓋５ｃを閉じた状態で、火災警報器３の係止金具３ｄ，３ｄを取付ベース５の係止孔５ｂ，５ｂに挿入し火災警報器３を回転させて、取付ベース５の不図示の電源ソケットに係止金具３ｄ，３ｄを挟持させた状態で係止孔５ｂ，５ｂに引っ掛け係止させる。
【００２１】
一方、他の火災警報器３を連動して作動させるための配線や、火災警報器３で検出した火災の警報状態を音声や表示により報知する外部機器（図示せず）への信号伝送のための配線を接続する必要のある火災警報器３を天井１に取り付ける場合は、リード線５ｅ及びコネクタ５ｆを、図３に示すように、リード線５ｅ及びコネクタ５ｆをリード線収納室５ｄの外に引き出して開閉蓋５ｃを閉じ、コネクタ５ｆを火災警報器３の信号入出力用コネクタ３ｆに接続した状態で、火災警報器３の係止金具３ｄ，３ｄを取付ベース５の係止孔５ｂ，５ｂに挿入し火災警報器３を回転させて、取付ベース５の不図示の電源ソケットに係止金具３ｄ，３ｄを挟持させた状態で係止孔５ｂ，５ｂに引っ掛け係止させる。
【００２２】
この状態では、火災警報器３の信号入出力用コネクタ３ｆが取付ベース５の外側に位置しているので、この信号入出力用コネクタ３ｆに接続されたコネクタ５ｆやリード線５ｅは、図１に示すように、取付ベース５の側方の天井１と火災警報器３の裏面３ｃとの間のスペースに配置される。
【００２３】
このように構成された本実施形態の取付ベース５によれば、火災警報器３を取り付けない場合や、他の火災警報器３や外部機器への信号伝送のための不図示の天井裏配線を接続する必要のない火災警報器３を取り付ける場合には、リード線５ｅ及びコネクタ５ｆをリード線収納室５ｄ内に収納して開閉蓋５ｃを閉じておくことで、不要なリード線５ｅやコネクタ５ｆが取付ベース５の外部に露出しないようにして、美観を保つことができる。
【００２４】
また、他の火災警報器３や外部機器への信号伝送のための不図示の天井裏配線を接続する必要のある火災警報器３を取り付ける場合には、取付ベース５のコネクタ５ｆを火災警報器３の信号入出力用コネクタ３ｆに接続すれば、不図示の天井裏配線の接続が済んでしまうことから、圧着端子による火災警報器側のリード線と取付ベース側のリード線との接続作業を不要にして、設置時の施工性を向上させることができる。
【００２５】
尚、第１実施形態では天井１に外付けされる取付ベース５について説明したが、図５に断面図で示す第２実施形態の取付ベース５Ａのように、火災警報器３の裏面３ｃ側の一部を収容する凹部５ｊを有し、この凹部５ｊの底面５ｋを、図６に平面図で示すように、第１実施形態の取付ベース５の正面５ａによって形成した、天井埋め込み型の構成としてもよい。
【００２６】
この場合、取付ベース５Ａの天井１への取り付けは、図５に示すように、天井１に穿設した取付孔１ａに凹部５ｊを嵌め込み、図６に示すように、凹部５ｊの開口周縁に形成した取付ベース５Ａのフランジ部５ｍを、取付孔１ａの周縁の天井１部分にねじ止めして、図５に示すように、凹部５ｊの開口を天井１の面上に位置させることで行う。
【００２７】
その際、取付ベース５Ａの裏面５ｈに形成された不図示の配線引込口から、天井裏に敷設された不図示の電源コードを内部に引き込んで、係止孔５ｂ，５ｂに臨むように配置された不図示の電源ソケットに接続し、また、天井裏に敷設された、他の火災警報器３を連動して作動させるための配線や、火災警報器３で検出した火災の警報状態を音声や表示により報知する外部機器への信号伝送のための不図示の配線を、不図示のターミナル端子に接続して、このターミナル端子を介して上述した不図示の配線をリード線５ｅに接続しておく点は、第１実施形態の取付ベース５と同様である。
【００２８】
また、火災警報器３を取り付けない場合や、他の火災警報器３や外部機器への信号伝送のための不図示の天井裏配線を接続する必要のない火災警報器３を取り付ける場合に、リード線５ｅ及びコネクタ５ｆを、図７に平面図で示すように、リード線収納室５ｄ内に収納して開閉蓋５ｃを閉じておく点も、第１実施形態の取付ベース５と同様である。
【００２９】
そして、他の火災警報器３や外部機器への信号伝送のための不図示の天井裏配線を接続する必要のない火災警報器３を取り付ける場合には、リード線５ｅ及びコネクタ５ｆをリード線収納室５ｄ内に収納して開閉蓋５ｃを閉じた状態で、図８に断面図で示すように、火災警報器３の裏面３ｃ側の一部を凹部５ｊに収容し、係止金具３ｄ，３ｄを取付ベース５Ａの係止孔５ｂ，５ｂに挿入し火災警報器３を回転させて、取付ベース５Ａの不図示の電源ソケットに係止金具３ｄ，３ｄを挟持させた状態で係止孔５ｂ，５ｂに引っ掛け係止させる。
【００３０】
一方、他の火災警報器３や外部機器への信号伝送のための不図示の天井裏配線を接続する必要のある火災警報器３を取り付ける場合は、リード線５ｅ及びコネクタ５ｆを、図６に示すように、リード線収納室５ｄの外に引き出して開閉蓋５ｃを閉じ、図９に断面図で示すように、コネクタ５ｆを火災警報器３の信号入出力用コネクタ３ｆに接続した状態で、火災警報器３の係止金具３ｄ，３ｄを取付ベース５Ａの係止孔５ｂ，５ｂに挿入し火災警報器３を回転させて、取付ベース５Ａの不図示の電源ソケットに係止金具３ｄ，３ｄを挟持させた状態で係止孔５ｂ，５ｂに引っ掛け係止させる。
【００３１】
この状態では、火災警報器３の信号入出力用コネクタ３ｆに接続されたコネクタ５ｆやリード線５ｅは、取付ベース５Ａの凹部５ｊの底面５ｋと火災警報器３の裏面３ｃとの間のスペースに配置される。
【００３２】
このように構成された本実施形態の取付ベース５Ａによっても、第１実施形態の取付ベース５と同様の効果を得ることができる。
【００３３】
しかも、本実施形態の取付ベース５Ａによれば、取付ベース５Ａに関する天井１からの張り出し部分をなくして、他の火災警報器３や外部機器への信号伝送のための不図示の天井裏配線を接続する必要のある火災警報器３を取り付ける場合にも、リード線５ｅが外部に露出しないようにして、より一層見栄えを向上させることができる。
【００３４】
尚、上述した各実施形態では、リード線収納室５ｄに開閉蓋５ｃを設けたが、開閉蓋５ｃをリード線収納室５ｄに設けるか否かは任意である。
【００３５】
また、上述した各実施形態では、取付ベース５，５Ａによって天井１に取り付けるものが火災警報器３である場合を例に取って説明したが、本発明は都市ガス用のガス漏れ警報器等、天井１に取り付けられる警報器の設置の際に使用される取付ベースの全般に広く適用可能であることは、言うまでもない。
【図面の簡単な説明】
【００３６】
【図１】本発明の第１実施形態に係る天井設置用警報器の取付ベースを用いて火災警報器を天井に取り付けた状態を示す側面図である。
【図２】図１の火災警報器の平面図である。
【図３】図１の取付ベースの平面図である。
【図４】火災警報器を取り付けない場合の図１の取付ベースの使用状態を示す平面図である。
【図５】本発明の第２実施形態に係る取付ベースの天井への取り付け状態を示す断面図である。
【図６】図５の取付ベースの平面図である。
【図７】天井裏配線の接続不要な火災警報器を図５の取付ベースに取り付けた状態を示す断面図である。
【図８】リード線及びコネクタをリード線収納室の外に引き出した状態の図５の取付ベースの平面図である。
【図９】天井裏配線の接続が必要な火災警報器を図５の取付ベースに取り付けた状態を示す断面図である。
【符号の説明】
【００３７】
１  天井
３  火災警報器（警報器）
３ｃ  裏面（取付面）
３ｄ  係止金具
３ｆ  信号入出力用コネクタ
５，５Ａ  取付ベース
５ａ  正面（被取付面）
５ｄ  リード線収納室
５ｅ  リード線
５ｆ  コネクタ
５ｊ  凹部
５ｋ  凹部底面
【図１】
2007164254.tif 000003
【図２】
2007164254.tif 000004
【図３】
2007164254.tif 000005
【図４】
2007164254.tif 000006
【図５】
2007164254.tif 000007
【図６】
2007164254.tif 000008
【図７】
2007164254.tif 000009
【図８】
2007164254.tif 000010
【図９】
2007164254.tif 000011